(57)【要約】  【課題】  多相交流の電源の異常を検出する電源異常検出装置をより安価に製造すること。  【解決手段】  磁性体に多相交流を送電する複数の配線７−Ｒ、７−Ｓ、７−Ｔが巻かれたコモンモードチョークコイル５と、その磁性体に巻かれた付加巻線２４と、付加巻線２４に流れる電流を検出する検出器２５とを備えている。多相交流を用いて動作する負荷２には、一般的に、その複数の配線７−Ｒ、７−Ｓ、７−Ｔに生じる雑音を除去するために、コモンモードチョークコイル５が備えられている。このような電源異常検出装置１は、付加巻線２４に流れる電流を検出することにより多相交流の電源の異常を検出する。電源異常検出装置１は、コモンモードチョークコイル５と別個の電源の異常を検出する装置を設置することなく、より安価に製造することができる。  【選択図】図１
2005245072.tif 000002
【特許請求の範囲】
【請求項１】
磁性体に多相交流を送電する複数の配線が巻かれたコモンモードチョークコイルと、
前記磁性体に巻かれた付加巻線と、
前記付加巻線に流れる電流を検出する検出器
とを具備する電源異常検出装置。
【請求項２】
請求項１において、
前記検出器は、前記電流の時間変化に基づいて電源異常の種類を更に判別する
電源異常検出装置。
【請求項３】
請求項２において、
前記検出器は、所定の時間より短い期間だけ前記電流が流れるときに、前記電源異常が欠相であると判別し、前記所定の時間以上に前記電流が流れるときに、前記電源異常が漏電であると判別する
電源異常検出装置。
【請求項４】
請求項１〜請求項３のいずれかにおいて、
前記複数の配線と仮想中性点との間にそれぞれ介設される複数のコンデンサと、
前記仮想中性点に流れる電流を検出する他の検出器
とを更に具備する電源異常検出装置。
【請求項５】
請求項４において、
前記他の検出器は、
前記複数のコンデンサのうちの１つのコンデンサと前記仮想中性点との間に介設される抵抗器と、
前記抵抗器に印加される電圧を検出する電圧検出器とを備える
電源異常検出装置。
【請求項６】
多相交流を送電する複数の配線と仮想中性点との間にそれぞれ介設される複数のコンデンサと、
前記仮想中性点に流れる電流を検出する検出器
とを具備する電源異常検出装置。
【請求項７】
請求項６において、
前記検出器は、
前記複数のコンデンサのうちの１つのコンデンサと前記仮想中性点との間に介設される抵抗器と、
前記抵抗器に印加される電圧を検出する電圧検出器とを備える
電源異常検出装置。
【請求項８】
請求項１〜請求項７のいずれかに記載の電源異常検出装置と、
前記多相交流を用いて動作する負荷
とを具備する電化製品。
【発明の詳細な説明】
【技術分野】
【０００１】
本発明は、電源異常検出装置に関し、特に、多相交流の電源の異常を検出する電源異常検出装置に関する。
【背景技術】
【０００２】
欠相、漏電に例示される多相交流の電源の異常を検出する電源異常検出装置が知られている。図５は、その電源異常検出装置を備える電化製品を示している。その電化製品は、入力フィルタ１０１と負荷１０２とを備えている。負荷１０２としては、３相交流を用いて所定の電圧・周波数の交流を生成するインバータ、３相交流を用いて動力を生成するモータが例示される。入力フィルタ１０１は、第１フィルタ１０３と第２フィルタ１０４とコモンモードチョークコイル１０５と第３フィルタ１０６とを備えている。入力フィルタ１０１は、さらに、ノード１０７−Ｒ、１０７−Ｓ、１０７−Ｔとノード１０８−Ｒ、１０８−Ｓ、１０８−Ｔとを備えている。ノード１０７−Ｒ、１０７−Ｓ、１０７−Ｔは、それぞれ、図示されていない３相交流電源に接続されている。ノード１０８−Ｒ、１０８−Ｓ、１０８−Ｔは、それぞれ、負荷１０２に接続されている。
【０００３】
第１フィルタ１０３は、ノードである仮想中性点１１０を備え、コンデンサ１１１とコンデンサ１１２とコンデンサ１１３とから形成されている。コンデンサ１１１は、ノード１０８−Ｒと仮想中性点１１０との間に介設されている。コンデンサ１１２は、ノード１０８−Ｓと仮想中性点１１０との間に介設されている。コンデンサ１１３は、ノード１０８−Ｔと仮想中性点１１０との間に介設されている。第２フィルタ１０４は、コンデンサ１１４とコンデンサ１１５とコンデンサ１１６とから形成されている。コンデンサ１１４は、ノード１０７−Ｒとノード１０７−Ｓとの間に介設されている。コンデンサ１１５は、ノード１０７−Ｓとノード１０７−Ｔとの間に介設されている。コンデンサ１１６は、ノード１０７−Ｒとノード１０７−Ｔとの間に介設されている。
【０００４】
コモンモードチョークコイル１０５は、コイル１２１とコイル１２２とコイル１２３とから形成されている。コイル１２１は、ノード１０７−Ｒとノード１０８−Ｒとの間に介設されている。コイル１２２は、ノード１０７−Ｓとノード１０８−Ｓとの間に介設されている。コイル１２３は、ノード１０７−Ｔとノード１０８−Ｔとの間に介設されている。コモンモードチョークコイル１０５は、磁性体から形成される１つの鉄心を備えている。コイル１２１とコイル１２２とコイル１２３とは、それぞれ、その１つの鉄心に巻かれている。
【０００５】
第３フィルタ１０６は、コンデンサ４１とコンデンサ４２とコンデンサ４３とから形成されている。コンデンサ４１は、ノード１０８−Ｒとノード１０８−Ｓとの間に介設されている。コンデンサ４２は、ノード１０８−Ｓとノード１０８−Ｔとの間に介設されている。コンデンサ４３は、ノード１０８−Ｒとノード１０８−Ｔとの間に介設されている。入力フィルタ１０１４は、ノード１０７−Ｒ、１０７−Ｓ、１０７−Ｔまたはノード１０８−Ｒ、１０８−Ｓ、１０８−Ｔに重畳している雑音を除去するために設けられている。
【０００６】
その家電製品は、漏電センサ１３１と欠相センサ１３２と演算器１３３と出力装置１３４とをさらに備えている。漏電センサ１３１は、ノード１０７−Ｒ、１０７−Ｓ、１０７−Ｔに接続され、３相交流に漏電があるかどうかを検出し、その検出結果を演算器１３３に出力する。欠相センサ１３２は、ノード１０８−Ｒ、１０８−Ｓ、１０８−Ｔに接続され、３相交流に欠相があるかどうかを検出し、その検出結果を演算器１３３に出力する。演算器１３３は、漏電センサ１３１または欠相センサ１３２により３相交流の漏電または欠相が検出されたときに、その３相交流の電源異常の種類を出力装置１３４に出力する。出力装置１３４は、演算器１３３により電源異常の発生が出力されたときに、負荷１０２の運転を停止させて、演算器１３３により出力される電源異常の種類を表示する。その電化製品または３相交流電源を修理する修理者は、出力装置１３４に表示される電源異常の種類に基づいて修理箇所を推測して、修理する。
【０００７】
多相交流の電源の異常を検出する電源異常検出装置は、製造コストがより安価であることが望まれている。
【０００８】
特開平１０−１７８７３６号公報には、簡潔な構成により電源電圧の逆相・欠相検知を的確に行うことができる空調調和装置の保護回路が開示されている。その保護装置は、３相電源で動作する空気調和装置において、電源の電圧ゼロクロスポイントを検出するためのゼロクロス検出手段と、電源相間の半波信号を検出するための半波検出手段とを備え、そのゼロクロス検出手段の信号出力とその半波検出手段の信号出力との比較により電源の逆相・欠相を含む電源の異常を検出し、保護動作を行う。
【０００９】
【特許文献１】特開平１０−１７８７３６号公報
【発明の開示】
【発明が解決しようとする課題】
【００１０】
本発明の課題は、製造コストがより安価である電源異常検出装置を提供することにある。
本発明の他の課題は、製造コストがより安価であり、多相交流の電源の異常の種類を判別する電源異常検出装置を提供することにある。
【課題を解決するための手段】
【００１１】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１２】
本発明による電源異常検出装置（１）は、磁性体に多相交流を送電する複数の配線（７−Ｒ、７−Ｓ、７−Ｔ）が巻かれたコモンモードチョークコイル（５）と、その磁性体に巻かれた付加巻線（２４）と、付加巻線（２４）に流れる電流を検出する検出器（２５）とを備えている。多相交流を用いて動作する負荷（２）には、一般的に、その複数の配線（７−Ｒ、７−Ｓ、７−Ｔ）に重畳している雑音を除去するために、コモンモードチョークコイル（５）が備えられている。このような電源異常検出装置（１）は、付加巻線（２４）に流れる電流を検出することにより多相交流の電源の異常を検出する。電源異常検出装置（１）は、コモンモードチョークコイル（５）と別個の電源の異常を検出する装置を設置することなく、より安価に製造することができる。
【００１３】
検出器（２５）は、その電流の時間変化に基づいて電源異常の種類を更に判別することが好ましい。たとえば、検出器（２５）は、所定の時間より短い期間だけ電流が流れるときに電源異常が欠相であると判別し、所定の時間以上に電流が流れるときに電源異常が漏電であると判別する。
【００１４】
本発明による電源異常検出装置（６１）は、その多相交流を送電する複数の配線（６７−Ｒ、６７−Ｓ、６７−Ｔ）と仮想中性点（７０）との間にそれぞれ介設される複数のコンデンサ（７１、７２、７３）と、その仮想中性点（７０）に流れる電流を検出する他の検出器（９１）とを更に備えている。多相交流を用いて動作する負荷（６２）には、一般的に、その複数の配線（６７−Ｒ、６７−Ｓ、６７−Ｔ）に生じる雑音を除去するために、複数のコンデンサ（７１、７２、７３）から形成されるフィルタ（６３）が備えられている。このような電源異常検出装置（６１）は、仮想中性点（７０）に流れる電流を検出することにより多相交流の電源の異常を検出する。電源異常検出装置（６１）は、そのフィルタ（６３）と別個の電源の異常を検出する装置を設置することなく、より安価に製造することができる。
【００１５】
その検出器（９１）は、複数のコンデンサ（７１、７２、７３）のうちの１つのコンデンサ（７１）と仮想中性点（７０）との間に介設される抵抗器（７４）と、抵抗器（７４）に印加される電圧を検出する電圧検出器（７７）とを備えていることが好ましい。このとき、検出器（９１）は、抵抗器（７４）に印加される電圧を検出することにより、仮想中性点（７０）に流れる電流を検出する。
【００１６】
本発明による電化製品は、本発明による電源異常検出装置（１）（６１）と、多相交流を用いて動作する負荷（２）（６２）とを備えていることが好ましい。その電化製品としては、エアコンが例示される。
【発明の効果】
【００１７】
本発明による電源異常検出装置は、より安価に製造されることができる。
【発明を実施するための最良の形態】
【００１８】
図面を参照して、本発明による電源異常検出装置の実施の形態を記載する。その電源異常検出装置１は、図１に示されているように、負荷２とともに電化製品に設けられている。その電化製品としては、エアコンが例示される。このとき、負荷２としては、所定の電圧・周波数の交流を生成するインバータ、冷媒を圧縮するコンプレッサまたは気体を送出するファンを動作させるモータが例示される。電源異常検出装置１は、第１フィルタ３と第２フィルタ４とコモンモードチョークコイル５と第３フィルタ６とを備えている。電源異常検出装置１は、さらに、ノード７−Ｒ、７−Ｓ、７−Ｔとノード８−Ｒ、８−Ｓ、８−Ｔとを備えている。ノード７−Ｒ、７−Ｓ、７−Ｔは、それぞれ、図示されていない３相交流電源に接続されている。ノード８−Ｒ、８−Ｓ、８−Ｔは、それぞれ、負荷２に接続されている。
【００１９】
第１フィルタ３は、ノードである仮想中性点１０を備え、コンデンサ１１とコンデンサ１２とコンデンサ１３とから形成されている。コンデンサ１１は、ノード７−Ｒと仮想中性点１０との間に介設されている。コンデンサ１２は、ノード７−Ｓと仮想中性点１０との間に介設されている。コンデンサ１３は、ノード７−Ｔと仮想中性点１０との間に介設されている。第２フィルタ４は、コンデンサ１４とコンデンサ１５とコンデンサ１６とから形成されている。コンデンサ１４は、ノード７−Ｒとノード７−Ｓとの間に介設されている。コンデンサ１５は、ノード７−Ｓとノード７−Ｔとの間に介設されている。コンデンサ１６は、ノード７−Ｒとノード７−Ｔとの間に介設されている。
【００２０】
コモンモードチョークコイル５は、コイル２１とコイル２２とコイル２３とから形成されている。コイル２１は、ノード７−Ｒとノード８−Ｒとの間に介設されている。コイル２２は、ノード７−Ｓとノード８−Ｓとの間に介設されている。コイル２３は、ノード７−Ｔとノード８−Ｔとの間に介設されている。コモンモードチョークコイル５は、磁性体から形成される１つの鉄心を備えている。コイル２１とコイル２２とコイル２３とは、それぞれ、その１つの鉄心に巻かれている。
【００２１】
第３フィルタ６は、コンデンサ４１とコンデンサ４２とコンデンサ４３とから形成されている。コンデンサ４１は、ノード８−Ｒとノード８−Ｓとの間に介設されている。コンデンサ４２は、ノード８−Ｓとノード８−Ｔとの間に介設されている。コンデンサ４３は、ノード８−Ｒとノード８−Ｔとの間に介設されている。第１フィルタ３と第２フィルタ４とコモンモードチョークコイル５と第３フィルタ６とは、それぞれ、ノード７−Ｒ、７−Ｓ、７−Ｔまたはノード８−Ｒ、８−Ｓ、８−Ｔに重畳している雑音を除去するために設けられている。
【００２２】
電源異常検出装置１は、さらに、検出器２５を備えている。検出器２５は、付加巻線２４と抵抗器２６、２７、２９とトランジスタ２８とを備えている。付加巻線２４は、コモンモードチョークコイル５が備える鉄心に巻かれている導線である。抵抗器２６と抵抗器２７とは、直列接続されて、電気部品を形成している。その電気部品の両端は、付加巻線２４の両端にそれぞれ接続されている。すなわち、付加巻線２４の一端は、抵抗器２６の一端に接続されている。抵抗器２６の他端は、抵抗器２７の一端に接続されている。抵抗器２７の他端は、付加巻線２４の他端に接続されている。
【００２３】
トランジスタ２８のベースは、抵抗器２６と抵抗器２７との間のノードに接続されている。トランジスタ２８のエミッタは、抵抗器２７との間のノードに接続されている。トランジスタ２８のコレクタは、抵抗器２９の一端に接続されている。抵抗器２９の他端とトランジスタ２８のエミッタとの間には、一定の電圧が印加されている。このため、トランジスタ２８は、付加巻線２４に電流が流れたときに、コレクタとエミッタとの間に付加巻線２４に流れる電流に対応する電圧を発生させる。
【００２４】
検出器２５は、さらに、サンプルホールド３１と演算器３２と出力装置３３とを備えている。サンプルホールド３１は、サンプリング周期毎に、トランジスタ２８のコレクタとエミッタとに発生する電圧を検出する。演算器３２は、サンプルホールド３１により検出された電圧の時間変化を測定し、その時間変化に基づいて３相交流電源の電源異常の種類を判別する。出力装置３３は、演算器３２により電源異常の発生が判別されたときに、負荷２の運転を停止させる。出力装置３３は、さらに表示装置を備え、演算器３２により判別された電源異常の種類を表示する。
【００２５】
このような電源異常検出装置１は、第１フィルタ３と第２フィルタ４とコモンモードチョークコイル５と第３フィルタ６と別個の電源の異常を検出する装置（たとえば、図５に示されている漏電センサ１３１、欠相センサ１３２）を設置していないために、より安価に製造することができる。
【００２６】
検出器２５は、負荷２が３相交流電源から供給される３相交流を用いて運転している際中に、サンプリング周期毎に付加巻線２４に流れる電流を検出する。すなわち、検出器２５は、その電流に応じてトランジスタ２８のコレクタとエミッタとに発生する電圧の時間変化を測定する。検出器２５は、電源異常の発生が判別されたときに、負荷２の運転を停止させる。さらに、このとき、検出器２５は、その電圧がパルス高が所定の電圧以上であり、かつ、パルス幅が所定の時間未満であるパルスを形成するときに、３相交流電源に欠相の電源異常が発生したと出力装置３３に表示する。検出器２５は、その電圧がパルス高がその所定の電圧未満であり、かつ、パルス幅がその所定の時間以上であるパルスを形成するときに、３相交流電源に漏電の電源異常が発生したと出力装置３３に表示する。
【００２７】
図２と図３とは、トランジスタ２８のコレクタとエミッタとに発生する電圧の時間変化を示している。３相交流電源に欠相が発生したときにトランジスタ２８のコレクタとエミッタとに発生する電圧５１は、パルス高が所定の電圧５４より大きく、パルス幅が所定の時間５３より小さいパルスを形成している。３相交流電源に漏電が発生したときにトランジスタ２８のコレクタとエミッタとに発生する電圧５２は、パルス高が所定の電圧５４より小さく、パルス幅が所定の時間５３より大きいパルスを形成している。
【００２８】
このため、電源異常検出装置１は、別途に複数の装置（たとえば、図５に示されている漏電センサ１３１、欠相センサ１３２）を設置しないで、３相交流電源に欠相と漏電とを区別して検出することができる。このとき、その電化製品または３相交流電源を修理する修理者は、出力装置３３または出力装置７９に表示される電源異常の種類に基づいて修理箇所を推測して、修理することができる。
【００２９】
電圧５１、５２に形成されるパルスの形状は、コモンモードチョークコイル５の鉄心の材料により変化する。このため、所定の電圧５４と所定の時間５３とは、コモンモードチョークコイル５の鉄心の材料に基づいて導出される。
【００３０】
図４は、本発明による電源異常検出装置の実施の他の形態を示している。その電源異常検出装置６１は、負荷６２とともに電化製品に設けられている。電源異常検出装置６１は、第１フィルタ６３と第２フィルタ６４とコモンモードチョークコイル６５と第３フィルタ６６とを備えている。電源異常検出装置６１は、さらに、ノード６７−Ｒ、６７−Ｓ、６７−Ｔとノード６８−Ｒ、６８−Ｓ、６８−Ｔとを備えている。ノード６７−Ｒ、６７−Ｓ、６７−Ｔは、それぞれ、図示されていない交流電源に接続されている。ノード６８−Ｒ、６８−Ｓ、６８−Ｔは、それぞれ、負荷６２に接続されている。
【００３１】
第１フィルタ６３は、ノードである仮想中性点７０を備え、コンデンサ７１とコンデンサ７２とコンデンサ７３とを備えている。コンデンサ７１は、ノード６７−Ｒと仮想中性点７０との間に介設されている。コンデンサ７２は、ノード６７−Ｓと仮想中性点７０との間に介設されている。コンデンサ７３は、ノード６７−Ｔと仮想中性点７０との間に介設されている。第１フィルタ６３は、さらに、抵抗器７４、７５、７６を備えている。抵抗器７４は、コンデンサ７１と仮想中性点７０との間に介設されている。抵抗器７５は、コンデンサ７２と仮想中性点７０との間に介設されている。抵抗器７６は、コンデンサ７３と仮想中性点７０との間に介設されている。
【００３２】
第２フィルタ６４は、コンデンサ７４とコンデンサ７５とコンデンサ７６とから形成されている。コンデンサ７４は、ノード６７−Ｒとノード６７−Ｓとの間に介設されている。コンデンサ７５は、ノード６７−Ｓとノード６７−Ｔとの間に介設されている。コンデンサ７６は、ノード６７−Ｒとノード６７−Ｔとの間に介設されている。
【００３３】
コモンモードチョークコイル６５は、コイル８１とコイル８２とコイル８３とから形成されている。コイル８１は、ノード６７−Ｒとノード６８−Ｒとの間に介設されている。コイル８２は、ノード６７−Ｓとノード６８−Ｓとの間に介設されている。コイル８３は、ノード６７−Ｔとノード６８−Ｔとの間に介設されている。コモンモードチョークコイル６５は、磁性体から形成される１つの鉄心を備えている。コイル８１とコイル８２とコイル８３とは、それぞれ、その１つの鉄心に巻かれている。
【００３４】
第３フィルタ６６は、コンデンサ８１とコンデンサ８２とコンデンサ８３とから形成されている。コンデンサ８１は、ノード６８−Ｒとノード６８−Ｓとの間に介設されている。コンデンサ８２は、ノード６８−Ｓとノード６８−Ｔとの間に介設されている。コンデンサ８３は、ノード６８−Ｒとノード６８−Ｔとの間に介設されている。
【００３５】
電源異常検出装置６１は、さらに、検出器９１を備えている。検出器９１は、電圧計７７と比較器７８と出力装置７９とを備えている。電圧計７７は、抵抗器７６の両端に印加される電圧を測定する。比較器７８は、電圧計７７により測定された電圧が所定の電圧より大きいか小さいかを判別して、３相交流に瞬時停電が発生したかどうかを検出する。出力装置７９は、比較器７８により瞬時停電が検出されたときに、負荷６２の運転を停止させる。さらに、出力装置７９は、表示装置を備え、比較器７８により瞬時停電が検出されたときに、３相交流に瞬時停電が発生したことを表示する。
【００３６】
このような電源異常検出装置１は、第１フィルタ６３と第２フィルタ６４とコモンモードチョークコイル６５と第３フィルタ６６と別個の電源の異常を検出する装置を設置していないために、より安価に製造することができる。
【００３７】
検出器９１は、負荷６２が３相交流電源から供給される３相交流を用いて運転している際中に、サンプリング周期毎に仮想中性点７０に流れる電流を検出する。すなわち、検出器９１は、その電流に応じて抵抗器７４の両端に発生する電圧の時間変化を測定する。検出器９１は、その電圧がパルス高が所定の電圧以上であるパルスを形成することを検出したときに、負荷２の運転を停止させ、３相交流電源に瞬時停電の電源異常が発生したと出力装置７９に表示する。
【００３８】
その３相交流電源に瞬時停電が発生したときには、仮想中性点７０に電流が流れる。電源異常検出装置６１は、別途に装置を設置しないで、仮想中性点７０に流れる電流を検出することにより３相交流電源の瞬時停電を検出することができる。このとき、その電化製品または３相交流電源を修理する修理者は、出力装置３３に表示される電源異常の種類に基づいて修理箇所を推測して、修理することができる。
【００３９】
本発明による電源異常検出装置の実施のさらに他の形態は、既述の実施の形態における電源異常検出装置６１のコモンモードチョークコイル６５に電源異常検出装置１の検出器２５が付加されている。すなわち、検出器２５は、付加巻線２４と抵抗器２６、２７、２９とトランジスタ２８とを備えている。付加巻線２４は、コモンモードチョークコイル６５が備える鉄心に巻かれている導線である。付加巻線２４の一端は、抵抗器２６の一端に接続されている。抵抗器２６の他端は、抵抗器２７の一端に接続されている。抵抗器２７の他端は、付加巻線２４の他端に接続されている。
【００４０】
トランジスタ２８のベースは、抵抗器２６と抵抗器２７との間のノードに接続されている。トランジスタ２８のエミッタは、抵抗器２７との間のノードに接続されている。トランジスタ２８のコレクタは、抵抗器２９の一端に接続されている。抵抗器２９の他端とトランジスタ２８のエミッタとの間には、一定の電圧が印加されている。このため、トランジスタ２８は、付加巻線２４に電流が流れたときに、コレクタとエミッタとの間に付加巻線２４に流れる電流に対応する電圧を発生させる。
【００４１】
検出器２５は、さらに、サンプルホールド３１と演算器３２と出力装置３３とを備えている。サンプルホールド３１は、トランジスタ２８のコレクタとエミッタとに発生する電圧を検出する。演算器３２は、サンプルホールド３１により検出された電圧の時間変化を測定し、その時間変化に基づいて３相交流電源の電源異常の種類を判別する。出力装置３３は、演算器３２により電源異常が判別されたときに、負荷６２の運転を停止させる。さらに、出力装置３３は、表示装置を備え、演算器３２により判別された電源異常の種類を表示する。
【００４２】
検出器２５は、負荷６２が３相交流電源から供給される３相交流を用いて運転している際中に、サンプリング周期毎に付加巻線２４に流れる電流を検出する。すなわち、検出器２５は、その電流に応じてトランジスタ２８のコレクタとエミッタとに発生する電圧の時間変化を測定する。検出器２５は、その電圧がパルス高が所定の電圧以上であり、かつ、パルス幅が所定の時間未満であるパルスを形成するときに、３相交流電源に欠相の電源異常が発生したと出力装置３３に表示する。検出器２５は、その電圧がパルス高がその所定の電圧未満であり、かつ、パルス幅がその所定の時間以上であるパルスを形成するときに、３相交流電源に漏電の電源異常が発生したと出力装置３３に表示する。
【００４３】
さらに、検出器９１は、負荷６２が３相交流電源から供給される３相交流を用いて運転している際中に、サンプリング周期毎に仮想中性点７０に流れる電流を検出する。すなわち、検出器９１は、その電流に応じて抵抗器７４の両端に発生する電圧の時間変化を測定する。検出器９１は、その電圧がパルス高が所定の電圧以上であるパルスを形成することを検出したときに、３相交流電源に瞬時停電の電源異常が発生したことを表示する。検出器９１は、瞬時停電が発生したときに、さらに、負荷６２の運転を停止させる。
【００４４】
このため、電源異常検出装置６１は、別途に複数の装置（たとえば、図５に示されている漏電センサ１３１、欠相センサ１３２）を設置しないで、３相交流電源に欠相と漏電と瞬時停電とを区別して検出することができる。このとき、その電化製品または３相交流電源を修理する修理者は、出力装置３３または出力装置７９に表示される電源異常の種類に基づいて修理箇所を推測して、修理することができる。
【図面の簡単な説明】
【００４５】
【図１】図１は、本発明による電源異常検出装置の実施の形態を示す回路図である。
【図２】図２は、トランジスタのコレクタとエミッタとの間の電圧の時間変化の１例を示すグラフである。
【図３】図３は、トランジスタのコレクタとエミッタとの間の電圧の時間変化の他の例を示すグラフである。
【図４】図４は、本発明による電源異常検出装置の実施の他の形態を示す回路図である。
【図５】図５は、公知の電源異常検出装置の実施の形態を示す回路図である。
【符号の説明】
【００４６】
１  ：電源異常検出装置
２  ：負荷
３  ：第１フィルタ
４  ：第１フィルタ
５  ：コモンモードチョークコイル
６  ：第１フィルタ
７−Ｒ、７−Ｓ、７−Ｔ：ノード
８−Ｒ、８−Ｓ、８−Ｔ：ノード
１０：仮想中性点
１１、１２、１３、１４、１５、１６：コンデンサ
２１、２２、２３：コイル
２４：付加巻線
２５：検出器
２６、２７：抵抗器
２８：トランジスタ
２９：抵抗器
３１：サンプルホールド
３２：演算器
３３：出力装置
４１、４２、４３：コンデンサ
５１：パルス
５２：パルス
５３：所定の時間
５４：所定の電圧
５５：電圧
５６：パルス幅
５７：電圧
【図１】
2005245072.tif 000003
【図２】
2005245072.tif 000004
【図３】
2005245072.tif 000005
【図４】
2005245072.tif 000006
【図５】
2005245072.tif 000007